(57)【要約】【課題】バーコード等のコード情報の表示が利用者にとって目障りになり、写真や文字等の情報を表示するスペースが狭くなるという問題がある。【解決手段】複数の走査ライン上に複数の表示ドットを有する表示パネルの表示を制御する表示制御装置であって、所定の情報を示す１次元又は２次元のコード情報に基づいて、表示ドットを表示するフィールドを示すフィールド情報を生成し、生成されたフィールド情報に基づいて、各フレーム画像を２つのフィールドに分けて表示するように制御する。【選択図】        図１
2008122608.tif 000002
【特許請求の範囲】
【請求項１】
複数の走査ライン上に複数の表示ドットを有する表示パネルの表示を制御する表示制御装置であって、
所定の情報を示す１次元又は２次元のコード情報に基づいて、前記表示ドットを表示するフィールドを示すフィールド情報を生成するフィールド情報生成手段と、
前記生成されたフィールド情報に基づいて、各フレーム画像を２つのフィールドに分けて表示させる制御手段と、
を備えることを特徴とする表示制御装置。
【請求項２】
前記フィールド情報は、前記複数の走査ラインごとに前記表示ドットを表示するフィールドを示す情報を対応付けた情報であることを特徴とする請求項１に記載の表示制御装置。
【請求項３】
前記フィールド情報は、前記表示ドットごとに前記表示ドットを表示するフィールドを示す情報を対応付けた情報であることを特徴とする請求項１に記載の表示制御装置。
【請求項４】
前記フィールド情報は、前記走査ラインごとに１ビットの情報が対応付けられており、
前記制御手段は、前記２つのフィールドのうち、一方のフィールドにおいて前記対応付けられたビットが１である前記走査ライン上の表示ドットを表示し、他方のフィールドにおいて前記対応付けられたビットが０である前記走査ライン上の表示ドットを表示することを特徴とする請求項２に記載の表示制御装置。
【請求項５】
前記フィールド情報は、前記表示ドットごとに１ビットの情報が対応付けられており、
前記制御手段は、前記２つのフィールドのうち、一方のフィールドにおいて前記対応付けられたビットが１である前記表示ドットを表示し、他方のフィールドにおいて前記対応付けられたビットが０である前記表示ドットを表示することを特徴とする請求項３に記載の表示制御装置。
【請求項６】
複数の走査ライン上に複数の表示ドットを有する表示パネルの表示を制御する表示制御装置において実行される表示制御方法であって、
所定の情報を示す１次元又は２次元のコード情報に基づいて、前記表示ドットを表示するフィールドを示すフィールド情報を生成するフィールド情報生成ステップと、
前記生成されたフィールド情報に基づいて、各フレーム画像を２つのフィールドに分けて表示させる制御ステップと、
を含むことを特徴とする表示制御方法。
【請求項７】
請求項１乃至６のいずれか一つに係る表示制御装置または表示制御方法により表示された前記表示パネルの表示画面から前記コード情報を読み取るための撮像装置であって、
前記表示画面の前記フィールドの表示時間にシャッタ速度を同期させ、前記表示画面を撮像する表示情報撮像手段と、
前記撮像された表示画面の情報から、表示部分と非表示部分の配置に基づいて、前記コード情報のビット列に復号する表示情報複号手段と、
を備えたことを特徴とする撮像装置。
【発明の詳細な説明】
【技術分野】
【０００１】
本発明は、表示パネル等の表示制御装置、表示制御方法、および撮像装置に関するものである。
【背景技術】
【０００２】
従来、ディスプレイ表示画面を介して、インターネットアドレス情報等を伝達する方法として、バーコードや、ＱＲコード（Quick Response code）に代表される２次元コードを用いる方法が採用されている。
【０００３】
利用者は、表示されたバーコードや２次元コードを、例えばデジタルカメラ等を用いて撮像し、バーコードリーダー装置が撮像画像を画像解析処理することにより、コード化された情報を得ることができる（特許文献１参照）。
【０００４】
【特許文献１】特開２００２−１８３７６９号公報
【発明の開示】
【発明が解決しようとする課題】
【０００５】
しかしながら、従来のバーコード等記載方法では、バーコード等によって表示される情報コードが白黒の図柄として表示されるため、利用者にとって目障りになるという問題が生じる。また、情報コード表示欄があるために、その他の写真や文字等の情報を表示するためのスペースが狭くなるという問題も生じる。
【０００６】
さらに、情報コードに秘密を保持すべき情報が含まれている場合、第三者によって情報コードの図柄を目視され、読み取りリーダーを介して簡単に秘密情報を盗み取られてしまうという問題がある。
【０００７】
本発明が解決しようとする課題には上述した問題が一例として挙げられる。
【０００８】
本発明は、前記に鑑みてなされたものであって、情報コード等のコード情報を利用者に見えないように表示することにより、利用者にとって目障りになることなく、かつ、第三者に目視されることなく、情報の秘密性を保ったまま情報コードデータ等のコード情報の提示を可能とする表示パネル等の表示制御装置、表示制御方法、および撮像装置を提供することを目的とするものである。
【課題を解決するための手段】
【０００９】
このような目的を達成するため、請求項１に記載の表示制御装置は、複数の走査ライン上に複数の表示ドットを有する表示パネルの表示を制御する表示制御装置であって、所定の情報を示す１次元又は２次元のコード情報に基づいて、表示ドットを表示するフィールドを示すフィールド情報を生成するフィールド情報生成手段と、生成されたフィールド情報に基づいて、各フレーム画像を２つのフィールドに分けて表示させる制御手段と、を備えることを特徴とする。
【００１０】
また、請求項５に記載の表示制御方法は、複数の走査ライン上に複数の表示ドットを有する表示パネルの表示を制御する表示制御装置において実行される表示制御方法であって、所定の情報を示す１次元又は２次元のコード情報に基づいて、表示ドットを表示するフィールドを示すフィールド情報を生成するフィールド情報生成ステップと、生成されたフィールド情報に基づいて、各フレーム画像を２つのフィールドに分けて表示させる制御ステップと、を含むことを特徴とする。
【発明を実施するための最良の形態】
【００１１】
以下に、本発明に係る表示制御装置、表示制御方法、および撮像装置の実施の形態を図面に基づいて詳細に説明する。なお、この実施の形態によりこの発明が限定されるものではない。
【００１２】
［本発明に係る本実施の形態の概要］
以下、本発明に係る本実施の形態の概要について説明し、その後、本発明に係る本実施の形態の構成および処理等について詳細に説明する。
【００１３】
本実施の形態は、概略的に、以下の基本的特徴を有する。
【００１４】
本実施の形態は、複数の走査ライン上に複数の表示ドットを有する表示パネルの表示を制御する表示制御装置に関する。本表示制御装置は、表示する画像・映像に関する情報と、バーコードや２次元コードに関する情報とを外部から入力される。そして、入力されたバーコード等の情報に基づいて、表示ドットを表示するフィールドを示すフィールド情報を生成する。ここで、フィールド情報は、バーコード等によって表示される白黒の図柄の白い部分に対応する表示ドットを一方のフィールドで表示し、黒い部分に対応する表示ドットを他方のフィールドで表示するように、走査ラインごと又は表示ドットごとに、表示ドットを表示するフィールドを示す情報を対応づけた情報となっている。
【００１５】
そして、本表示制御装置は、フィールド情報に基づいて、表示する画像・映像の各フレーム画像を２つのフィールドに分けて表示するように制御する。つまり、各フレーム画像の表示に際して、まず一方のフィールドにおいてバーコード等によって表示される白黒の図柄の白い部分に対応する表示ドットのみを各フレーム画像における階調で表示し、次に他方のフィールドにおいて黒い部分に対応する表示ドットのみを各フレーム画像における階調で表示するように制御する。
【００１６】
これにより、本表示制御装置は、２回のフィールドに分けて、表示／非表示が逆転した画面を一組として各フレーム画像を表示することにより、表示する画像・映像を視聴する者にとって目障りになることがない。また、バーコード等のコード情報自体は第三者に目視されないのでコード情報の秘密性（機密保持性）を保ったままコード情報を表示される画像・映像と重畳して提示することができる。
【００１７】
つぎに、このように表示される画像・映像に重畳して提示されるコード情報を読み取るための本実施の形態に係る本撮像装置の概要について説明する。
【００１８】
本実施の形態に係る撮像装置は、表示パネルの表示制御装置または表示制御方法により表示された表示パネルの表示画面からコード情報を読み取るために、表示画面のフィールドの表示時間（例えば、フレームの表示時間の１／２時間）にシャッタ速度を同期させ、表示画面から表示情報を撮像する。
【００１９】
そして、撮像された表示画面の情報から、表示部分と非表示部分の配置に基づいてコード情報をビット列に復号化する。
【００２０】
これにより、表示パネルに重畳して表示されたコード情報を容易に読み取ることができる。
【００２１】
以上で本実施の形態の概要の説明を終える。
【００２２】
［本表示制御装置の構成］
次に、本実施の形態に係る本表示制御装置を備えた表示装置の構成について説明する。図１は、本実施の形態が適用される本表示装置の構成の一例を示すブロック図であり、該構成のうち本実施の形態に関係する部分のみを概念的に示している。本実施の形態にかかる本表示装置は、概略的に表示マイコン１０、フィールド情報発生器２０、表示コントローラ３０、表示パネル４０、ドライバ４１、から構成されており、これら各部は図１に示すように任意の通信路を介して通信可能に接続されている。
【００２３】
表示マイコン１０は、画像・映像を表示するために必要な階調信号等の画像・映像データを表示コントローラ３０に送信する情報送信手段である。表示マイコン１０は、表示する画像・映像データを、内部メモリまたは外部から通信手段を介して取得する。
【００２４】
フィールド情報発生器２０は、内部メモリまたは外部から受信したバーコード等の１次元のコード情報に基づいて、表示ドットを表示するフィールドを示す１ビットの情報を走査ラインごとに対応付けたフィールド情報を生成するフィールド情報生成手段である。具体的には、フィールド情報は、バーコードによる白黒の図柄の白い部分に対応する走査ラインについては対応付けたビットを１とし、黒い部分に対応する走査ラインついては対応付けたビットを０とした情報である。
【００２５】
表示コントローラ３０は、表示装置を統括的に制御する表示制御手段であるとともに、フィールド情報発生器２０によって生成されたフィールド情報に基づいて、各フレーム画像を２つのフィールドに分けて表示させる制御手段として機能する。すなわち、表示コントローラ３０は、フィールド情報に基づいて生成されたドライバ用信号をドライバ４１に出力することによって、表示パネル４０の表示を制御する。詳細については後述する。
【００２６】
表示パネル４０は、表示コントローラ３０がドライバ４１を制御することにより画像・映像を表示させる表示手段である。具体的には、液晶ディスプレイや有機ＥＬディスプレイなど、ドットの表示階調を駆動電流の出力時間で表現している（例えばＰＷＭ駆動）表示装置であればよい。
【００２７】
ドライバ４１は、表示コントローラ３０から送信されたドライバ用信号に基づいて表示パネル４０における表示ドットに電流を注入するドライバ手段である。
【００２８】
ここで、図２は、表示コントローラ３０の内部構成を示す論理構成図である。図２に示すように、表示コントローラ３０は、概略的に、表示メモリ３１、階調信号出力部３２、同期信号出力部３３、階調パルス信号出力部３４、フィールド情報メモリ３５、タイミング制御部３６、出力切換部３７を備えて構成されており、これら各部は図２に示すように任意の通信路を介して通信可能に接続されている。
【００２９】
表示メモリ３１は、階調信号出力部３２に接続され、表示マイコン１０から受信した画像・映像データの階調データを、一時的に記憶しておくメモリである。これにより、受信した階調データを一時的にプールしておくことができるため、送信先の階調信号出力部３２で階調データに動的に遅延量が変化しても、データ欠落等の問題が生じることがない。
【００３０】
階調信号出力部３２は、表示メモリ３１、タイミング制御部３６、および、出力切換部３７に接続され、表示メモリ３１から階調データを読み出し、該当するライン走査に同期した所定のフォーマットに配列し出力する階調信号出力手段である。本実施の形態においては、階調信号出力部３２は、出力切換部３７から階調有りを指示する選択信号を入力された場合には階調データをライン走査に同期したフォーマットに配列し階調信号として出力し、階調０を指示する選択信号を入力された場合には該当する走査ラインの階調データの出力に代えて階調０の階調信号を出力するよう構成される。このとき、階調信号出力部３２は、タイミング制御部３６から、フレーム／ライン開始タイミング情報を受け取って、タイミングに応じた階調信号を出力する。すなわち、階調信号出力部３２は、出力切換部３７によって出力された選択信号に基づいて、対応する走査ライン上の表示ドットに対して階調０の階調信号を出力する階調信号出力手段として機能する。
【００３１】
同期信号出力部３３は、タイミング制御部３６に接続され、タイミング制御部３６から受信したフレーム／ライン開始タイミング情報に基づいて、表示パネル４０のドライバ４１に対して、必要な水平同期信号および垂直同期信号を生成出力する同期信号出力手段である。
【００３２】
階調パルス信号出力部３４は、タイミング制御部３６に接続され、タイミング制御部３６から受信したフレーム／ライン開始タイミング情報に基づいて、ライン走査に同期した所定のフォーマットで階調パルス信号を生成する階調パルス発生手段である。例えば、ドライバ４１では階調に基づいたＰＷＭ駆動電流を生成しており、そのために時間基準として階調パルス信号出力部３４は階調パルス信号を送信する。
【００３３】
フィールド情報メモリ３５は、出力切換部３７に接続され、フィールド情報発生器２０から入力されたフィールド情報を一時的に保持するフィールド情報保持手段である。
【００３４】
タイミング制御部３６は、階調信号出力部３２、同期信号出力部３３、階調パルス信号出力部３４、および、出力切換部３７に接続され、表示に必要なタイミング情報を送信するタイミング制御手段である。タイミング制御部３６は、出力切換部３７に各フレームの２回の走査のうち何れであるかを示すフィールド番号情報を送信し、階調信号出力部３２、同期信号出力部３３、階調パルス信号出力部３４、および出力切換部３７に走査ライン番号情報およびフレーム／ライン開始タイミング情報を送信するタイミング制御手段である。
【００３５】
出力切換部３７は、階調信号出力部３２、フィールド情報メモリ３５、および、タイミング制御部３６に接続され、走査ラインごとに階調信号出力部３２が出力する階調信号の階調を選択するための選択信号を出力する出力切換制御手段として機能する。出力切換部３７は、タイミング制御部３６から走査中のフィールド番号情報および走査ライン番号情報を受信する。そして、受信した走査ライン番号情報に基づいてフィールド情報メモリ３５から走査ライン番号に対応づけられた、表示するフィールドを示すビット情報を読み出す。さらに、表示するフィールドを示すビット情報とフィールド番号情報とに基づいて、階調信号を階調有りとするか、階調ゼロとするかを選択する選択信号を階調信号出力部３２に出力する。このとき、出力切換部３７は、タイミング制御部３６からフレーム／ライン開始タイミング情報を受け取って、タイミングに応じた選択信号を出力する。
【００３６】
以上で本表示制御装置の説明を終える。
【００３７】
［本表示制御装置の処理］
このように構成された本実施の形態における本表示制御装置の処理の一例について、詳細に説明する。
【００３８】
まず、本表示制御装置は、表示する画像・映像のデータおよび１次元または２次元のコード情報を内部メモリ等から取得しておく。そして、取得された画像・映像データは表示マイコン１０によって表示メモリ３１に送信される。また、取得されたコード情報に基づいて、フィールド情報生成器２０は、表示ドットを表示するフィールドを示す１ビットの情報を走査ラインごとに対応付けたフィールド情報を生成し、フィールド情報メモリ３５に送信する。
【００３９】
つぎに、タイミング制御部３６により、表示に必要な各種情報として、フレーム／ライン開始タイミング情報、各フレームの２回の走査のうち何れであるかを示すフィールド番号情報、走査ライン番号情報を出力する。
【００４０】
そして、タイミング制御部３６から出力されたフレーム／ライン開始情報に基づいて、階調信号出力部３２が階調信号を、同期信号出力部３３が水平同期信号および垂直同期信号を、階調パルス信号出力部３４が階調パルス信号を、それぞれ生成してドライバ信号としてドライバ４１に出力する。
【００４１】
ここで、階調信号出力部３２が出力する階調信号は、出力切換部３７によって出力される選択信号によって制御される。以下、出力切換部３７による制御について詳細に説明する。
【００４２】
まず、出力切換部３７は、タイミング制御部３６から受信した走査ライン番号情報に対応づけられているビット情報をフィールド情報メモリ３５から読み出す。
【００４３】
つぎに、タイミング制御部３６から受信したフィールド番号情報と、フィールド情報メモリ３５から読み出したビット情報とに基づいて、階調信号出力部３２が出力する階調信号を制御する選択信号を生成する。具体的には、第１のフィールドにおいてフィールド情報として対応付けられたビットが１の場合、および第１のフィールドに続く第２のフィールドにおいて対応付けられたビットが０の場合には階調有り（すなわち元の階調）を指示する選択信号（ＯＮ信号）を出力する。また、第２のフィールドにおいて対応付けられたビットが０の場合、および第１のフィールドにおいて対応付けられたビットが１の場合には階調ゼロを指示する選択信号（ＯＦＦ信号）を出力する。
【００４４】
そして、出力切換部３７によって出力される選択信号が、ＯＮ信号の場合には階調信号出力部３２は表示メモリ３１から読み出した階調信号を出力し、ＯＦＦ信号の場合には階調信号出力部３２は階調ゼロの階調信号を出力する。
【００４５】
この際、階調信号出力部３２は、タイミング情報部３６から走査ライン番号等のフレーム／ライン開始タイミング情報を取得しているので、走査ラインに応じた階調信号を読み出すことができる。
【００４６】
［表示コントロール処理］
次に、コード情報を重畳表示する処理の前提となる表示コントロール処理の詳細につい説明する。表示コントロール処理では、表示制御装置は、通常行われる画面の上端から下端までのライン走査を行う。
【００４７】
すなわち、各フィールドにおいて、タイミング制御部３６の処理により、垂直同期をリセットする。
【００４８】
つぎに、タイミング制御部３６の処理により、走査ライン番号に「０」（先頭ライン番号）を設定し、走査ライン番号等のフレーム／ライン開始タイミング情報を階調信号出力部３２、同期信号出力部３３、階調パルス信号出力部３４、および出力切換部３７に出力する。
【００４９】
つづいて、階調信号出力部３２の処理により、表示メモリ３１等から入力された階調データを、タイミング制御部３６から入力された走査ライン番号に該当する走査ラインについて、走査に同期した所定のフォーマットに配列し出力する。同時に、同期信号出力部３３は、タイミング制御部３６からのフレーム／ライン開始タイミング情報に基づいて、ドライバ４１等に対して必要な水平同期信号および垂直同期信号を生成出力する。また、このとき階調パルス信号出力部３４は、タイミング制御部３６からのフレーム／ライン開始タイミング情報に基づいて、ライン走査に同期した所定のフォーマットで階調パルス信号を生成する。
【００５０】
つぎに、タイミング制御部３６の処理により、走査ライン番号をインクリメントする。
【００５１】
つづいて、タイミング制御部３６の処理により、走査ライン番号が最終ライン番号より大きいか否かを判断する。
【００５２】
そして、タイミング制御部３６の処理により、走査ライン番号が最終ライン番号より大きくないと判断した場合は、上記の処理を繰り返すことにより順番に各走査ラインの階調データを、走査に同期した所定のフォーマットに配列しドライバ４１に出力する。
【００５３】
一方、タイミング制御部３６の処理により、走査ライン番号が最終ライン番号より大きいと判断した場合は、第１フィールドの駆動制御を終了し、第２フィールドの処理（前提は上記第１フィールドの処理と同じ）に移る。
【００５４】
このように、各フレームにおいて、前提となる表示コントロール処理では第１フィールドの表示と第２フィールドの表示を連続して行い、この結果、肉眼では両フィールドが重畳されて見え、一枚の画像として見えるようになる。
【００５５】
次に、図３を参照して、走査ライン上の表示ドットの点灯期間について説明する。ここで、点灯期間とは、走査ライン上の表示ドットが表示メモリ３１から読み出した階調で表示されている期間をいう。図３における横軸は時間、縦軸は表示パネル４０の垂直方向の走査ラインを示している。
【００５６】
図３に示すように、任意のｎフレームの第１フィールドでは、ドライバ４１を制御することにより走査ラインを先頭ラインから最終ラインまで順に描画していく。この際、フィールド情報として対応付けられたビットが０である走査ラインは、階調０（黒）で表示するよう制御される。
【００５７】
逆に、第１フレームに続く第２フィールドでは、第１フィールドと同じく、全走査ラインを順に描画していくが、フィールド情報として対応付けられたビットが１である走査ラインは、階調０（黒）で表示するよう制御される。
【００５８】
この制御による表示は、つぎのｎ＋１フレームの第１フィールドと第２フィールドの走査でも繰り返される。ここで、このように描画された走査ラインで表された表示画面について図４および図５を参照して説明する。図４は、本表示制御装置の制御により描画された走査ラインによって表現された表示画面の時系列の一例を示す図である。また、図５は、そのとき利用者が、実際に肉眼で感じる表示画面の画像を示す図である。
【００５９】
図４に示すように、任意のｎフレームの第１フィールドでは、コード情報のビット列｛１００１０１１０｝と対応付けられて、走査ラインの階調が決定されるため、上から走査ラインの描画が表示／非表示／非表示／表示／非表示／表示／表示／非表示となる。
【００６０】
つづく、ｎフレームの第２フィールドでは、コード情報のビット列｛１００１０１１０｝と対応付けられて、第１フィールドとは反対に走査ラインの階調が決定されるため、上から走査ラインの描画が非表示／表示／表示／非表示／表示／非表示／非表示／表示となる。
【００６１】
このように、ある走査ラインにおける第１フィールドと第２フィールドとの表示／非表示とが入れ替わり、連続して描画されるために、利用者の目には、図５に示すように、全くコード情報による表示／非表示の縞が見えなくなる。これは、各フレームあたりの、各走査ラインの平均点灯時間が等しいためである。
【００６２】
このように、本表示制御装置の制御によれば、バーコード等のコード情報を、各フレームの２回のフィールド走査において、利用者に見えないように表示／非表示が逆転した画面を連続して表示することにより、利用者にとって目障りになることなく、かつ、第三者に目視されないのでコード情報の秘密性を保ったまま情報コード等のコード情報を提示することができる。
【００６３】
以上で、コード情報重畳処理の説明を終了する。
【００６４】
［本撮像装置の処理］
表示画面に利用者に見えないように表現されたコード情報を、撮像装置を用いて読み取る処理について、図６を参照して説明する。図６は、本実施の形態によってコード情報が表示された画面から撮像装置を用いて読み取る原理を示す図である。
【００６５】
すなわち、図６に示すように、本実施の形態における本撮像装置は、コード情報が重畳して表示された画像のフレーム表示時間の１／２時間にシャッタ速度を同期させる。
【００６６】
つぎに、本撮像装置は、コード情報が重畳して表示された画像から表示情報を撮像する。
【００６７】
そして、同期化されたシャッタ速度において撮像された表示情報から、水平方向または垂直方向の階調０（黒）の有無に基づいて画像解析処理し、コード情報のビット列に復号する。
【００６８】
これにより、利用者には目視できないよう表示された表示画面から、コード情報を得ることができる。
【００６９】
［他の実施の形態］
上記した実施の形態においては、フィールド情報は走査ラインごとに表示するフィールドを示す情報として１ビットを対応付けていたが、表示ドットごとに対応づけた場合の実施の形態における本表示制御装置の処理について説明する。なお、装置の構成は、図１および図２に示したものと同様であるので説明を省略する。
【００７０】
まず、本表示制御装置は、表示する画像・映像のデータおよび１次元または２次元のコード情報を内部メモリ等から取得しておく。つまり、取得された画像・映像データは表示マイコン１０によって表示メモリ３１に送信される。また、取得されたコード情報に基づいて、フィールド情報生成器２０は、表示ドットを表示するフィールドを示す１ビットの情報を表示ドットごとに対応付けたフィールド情報を生成し、フィールド情報メモリ３５に送信する。
【００７１】
つぎに、タイミング制御部３６により、表示に必要な各種情報として、フレーム／ライン開始タイミング情報、各フレームの２回の走査のうち何れであるかを示すフィールド番号情報、走査ライン番号情報を出力する。
【００７２】
そして、タイミング制御部３６から出力されたフレーム／ライン開始情報に基づいて、階調信号出力部３２が階調信号を、同期信号出力部３３が水平同期信号および垂直同期信号を、階調パルス信号出力部３４が階調パルス信号を、それぞれ生成してドライバ信号としてドライバ４１に出力する。なお、フレーム／ライン開始情報には、現在制御に係る走査ライン番号情報および表示ドット番号情報が含まれている。
【００７３】
ここで、階調信号出力部３２が出力する階調信号は、出力切換部３７によって出力される選択信号によって制御される。以下、出力切換部３７による制御について詳細に説明する。
【００７４】
まず、出力切換部３７は、タイミング制御部３６から受信した現在制御に係る表示ドット番号情報に対応づけられているビット情報をフィールド情報メモリ３５から読み出す。
【００７５】
つぎに、タイミング制御部３６から受信したフィールド番号情報と、フィールド情報メモリ３５から読み出したビット情報とに基づいて、階調信号出力部３２が出力する階調信号を制御する選択信号を生成する。具体的には、第１のフィールドにおいてフィールド情報として対応付けられたビットが１の場合、および第１のフィールドに続く第２のフィールドにおいて対応付けられたビットが０の場合には階調有り（すなわち元の階調）を指示する選択信号（ＯＮ信号）を出力する。また、第２のフィールドにおいて対応付けられたビットが０の場合、および第１のフィールドにおいて対応付けられたビットが１の場合には階調ゼロを指示する選択信号（ＯＦＦ信号）を出力する。
【００７６】
そして、出力切換部３７によって出力される選択信号が、ＯＮ信号の場合には階調信号出力部３２は表示メモリ３１から読み出した階調信号を出力し、ＯＦＦ信号の場合には階調信号出力部３２は階調ゼロの階調信号を出力する。
【００７７】
この際、階調信号出力部３２は、タイミング情報部３６から表示ドット番号等のフレーム／ライン開始タイミング情報を取得しているので、表示ドットに応じた階調信号を読み出すことができる。
【００７８】
次に、図７を参照して、任意の走査ライン上の表示ドットの点灯期間について説明する。図７における横軸は時間、縦軸は表示パネル４０の任意の走査ライン上に水平方向に配置されている表示ドットを示している。
【００７９】
本表示制御装置は、ドライバ４１を制御することにより走査ラインの表示ドットを水平方向に描画していく。図７に示すように、任意のｎフレームの第１フィールドにおいては対応づけられたビットが０である表示ドットは、階調０（黒）で表示するよう制御される。
【００８０】
一方、第１フィールドに続く第２フィールドでは、第１フィールドと同様に、走査ラインを水平方向に順に描画していくが、対応付けられたビットが１である表示ドットは、階調０（黒）で表示するよう制御される。
【００８１】
この制御による表示は、次のｎ＋１フレームの第１フィールドと第２フィールドの走査でも繰り返される。ここで、このように描画された表示ドットで表された表示画面の一例を、図８を参照して説明する。図８は、本表示制御装置の制御により描画された走査ラインによって表現された表示画面の時系列を示す一例を示す図である。
【００８２】
図８に示すように、任意のｎフレームの第１フィールドでは、コード情報のビット列｛１００１０１１０・・・｝と対応付けられて、走査ラインのドットの階調が決定されるため、図８の左から右へ向かって水平方向に表示ドットの描画が表示／非表示／非表示／表示／非表示／表示／表示／非表示・・・となる。
【００８３】
つづく、ｎフレームの第２フィールドでは、コード情報のビット列｛１００１０１１０・・・｝と対応付けられて、第１フィールドとは反対に走査ラインの階調が決定されるため、図８に向かって左から右へ表示ドットの描画が非表示／表示／表示／非表示／表示／非表示／非表示／表示・・・となる。
【００８４】
このように、ある表示ドットにおける第１フィールドと第２フィールドとの表示／非表示とが入れ替わり、連続して描画されるために、利用者の目には、全くコード情報による表示／非表示の縞が見えなくなる。これは、各フレームあたりの、各走査ラインの平均表示時間が等しいためである。
【００８５】
このように、水平方向の表示ドットの制御によっても、各フィールドにおいて情報コード等のコード情報を表示しつつ、２回のフィールド走査において、表示／非表示が逆転した画面を一組として各フレーム画像を表示することにより、利用者にとって目障りになることなく、かつ、第三者に目視されないのでコード情報の秘密性を保ったまま情報コード等のコード情報を提示することができる。
【００８６】
なお、図８においては、どの走査ラインにおいても表示ドットに同一の情報ビット列を対応付けた例を示したが、走査ラインによって表示ドットに対応付ける情報ビット列を異なるようにすることもできるので、縞模様で表現される１次元のバーコード等のコード情報のみならず、ＱＲコードなどの２次元バーコード等の複雑なコード情報をも表示することができる。
【００８７】
以上で、他の実施の形態についての説明を終了する。
【００８８】
さて、これまで本発明の実施の形態について説明したが、本発明は、上述した実施の形態以外にも、上記特許請求の範囲に記載した技術的思想の範囲内において種々の異なる実施の形態にて実施されてよいものである。
【００８９】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００９０】
このほか、上記文献中や図面中で示した処理手順、制御手順、具体的名称、画面例については、特記する場合を除いて任意に変更することができる。
【００９１】
また、表示装置に関して、図示の各構成要素は機能概略的なものであり、必ずしも物理的に図示の如く構成されていることを要しない。
【００９２】
例えば、表示装置の各装置が備える処理機能、特に表示コントローラ３０等にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。尚、プログラムは、後述する記録媒体に記録されており、必要に応じて表示コントローラ３０に機械的に読み取られる。すなわち、ＲＯＭまたはＨＤなどの記憶装置などは、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００９３】
また、本発明に係るプログラムを、読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【００９４】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【００９５】
更に、装置の分散・統合の具体的形態は図示するものに限られず、その全部または一部を、各種の付加等に応じた任意の単位で、機能的または物理的に分散・統合して構成することができる。
【図面の簡単な説明】
【００９６】
【図１】本実施の形態が適用される本表示装置の構成の一例を示すブロック図である。
【図２】表示コントローラ３０の内部構成を示す論理構成図である。
【図３】時間とライン走査の関係を表す図である。
【図４】本表示制御装置の制御により描画された走査ラインによって表現された表示画面の時系列の一例を示す図である。
【図５】利用者が、実際に肉眼で感じる表示画面の画像を示す図である。
【図６】本実施の形態によってコード情報が表示された画面から撮像装置を用いて読み取る原理を示す図である。
【図７】時間と水平ドットの関係を表す図である。
【図８】本表示制御装置の制御により描画された水平ドットによって表現された表示画面の時系列を示す一例を示す図である。
【符号の説明】
【００９７】
１０  表示マイコン
２０  フィールド情報発生器
３０  表示コントローラ
３１  表示メモリ
３２  階調信号出力部
３３  同期信号出力部
３４  階調パルス信号出力部
３５  フィールド情報メモリ
３６  タイミング制御部
３７  出力切換部
４０  表示パネル
４１  ドライバ
【図１】
2008122608.tif 000003
【図２】
2008122608.tif 000004
【図３】
2008122608.tif 000005
【図４】
2008122608.tif 000006
【図５】
2008122608.tif 000007
【図６】
2008122608.tif 000008
【図７】
2008122608.tif 000009
【図８】
2008122608.tif 000010